(57)【特許請求の範囲】
【請求項１】
相手方コネクタと嵌合する嵌合部が形成されるとともに電気絶縁性を有する可動側ハウジングと、
前記可動側ハウジングを移動可能に受容するとともに電気絶縁性を有する固定側ハウジングと、
前記固定側ハウジングと前記可動側ハウジングとに跨って所定の配列方向に並んで取り付けられる複数のコンタクトとを有して構成され、
前記コンタクトはそれぞれ、一端側において前記固定側ハウジングに固定されて前記固定側ハウジングの外部に露出するリード部と、他端側において前記可動側ハウジングに固定されるとともに前記嵌合部に位置して前記相手方コネクタのコンタクトと当接可能な接触部と、前記リード部と前記接触部とを繋ぐとともに弾性変形可能に形成された中間部とから構成され、
前記コンタクトが前記固定側ハウジングと前記可動側ハウジングとに跨って取り付けられた状態で前記中間部が弾性変形することにより、前記固定側ハウジングに対して前記可動側ハウジングが移動可能であり、
前記可動側ハウジングは、前記固定側ハウジングおよび前記可動側ハウジングに備えられたハウジング保持手段により前記固定側ハウジングに保持されて受容されており、
前記ハウジング保持手段は、
前記可動側ハウジングにおいて、前記相手方コネクタとの嵌合方向において前記嵌合部が形成された部分とは反対側である一方側に、前記所定の配列方向における前記嵌合部の幅に対応した幅で前記所定の配列方向に延びて形成された可動側一方移動規制部と、
前記可動側ハウジングにおける複数の前記接触部が固定された部分から、前記嵌合方向に対して直交する面に沿うとともに前記固定側ハウジングに向けて突出形成されて前記所定の配列方向に延びる可動側他方移動規制部と、
前記所定の配列方向における前記可動側一方移動規制部の幅に対応した幅を有して前記固定側ハウジングに形成されて、前記可動側一方移動規制部に対し前記嵌合方向における前記一方側に位置して対向する固定側一方移動規制部と、
前記所定の配列方向における前記可動側他方移動規制部の幅に対応した幅を有して前記固定側ハウジングに形成されて、前記可動側他方移動規制部に対し前記嵌合方向における他方側に位置して対向する固定側他方移動規制部とを備えて構成され、
前記ハウジング保持手段は、前記可動側ハウジングが前記面に沿って移動することを許容しつつ、前記可動側一方移動規制部が前記固定側一方移動規制部に前記嵌合方向に当接することにより前記可動側ハウジングが前記嵌合方向における一方側に所定移動量を越えて移動することを規制し、前記可動側他方移動規制部が前記固定側他方移動規制部に前記嵌合方向に当接することにより前記可動側ハウジングが前記嵌合方向における他方側に前記所定移動量を越えて移動することを規制するように構成されたことを特徴とするフローティング型コネクタ。
【請求項２】
前記ハウジング保持手段は、
前記固定側ハウジングおよび前記可動側ハウジングのうち一方のハウジングにおける前記所定の配列方向の端部に、前記面に沿って形成された移動範囲規定突出部と、
前記固定側ハウジングおよび前記可動側ハウジングのうち他方のハウジングにおける前記所定の配列方向の端部に、外方に開口するとともに前記面に沿って形成され、前記移動範囲規定突出部を受容して内部に位置させる移動範囲規定受容部とを備え、
前記移動範囲規定受容部は、前記面に沿う方向に所定の間隙を有して前記移動範囲規定突出部を受容することで前記移動範囲規定突出部の前記面に沿う方向への移動を許容するとともに、前記移動範囲規定突出部を前記嵌合方向に挟持して受容することで前記他方のハウジングに対して前記移動範囲規定突出部が前記嵌合方向へ前記所定移動量を越えて移動することを規制するように構成されたことを特徴とする請求項１に記載のフローティング型コネクタ。
【請求項３】
前記ハウジング保持手段は、
前記一方のハウジングに対して前記面に沿う方向に突出して形成された一方側係合部と、
前記他方のハウジングに対して前記面に沿う方向に突出して形成されて、前記一方側係合部と係合することで前記移動範囲規定突出部が前記移動範囲規定受容部内から抜け出ることを防止する他方側係合部とを備えることを特徴とする請求項２に記載のフローティング型コネクタ。
【請求項４】
前記所定移動量は、前記中間部の前記嵌合方向に弾性変形可能な変形量よりも小さく設定されていることを特徴とする請求項１〜３のいずれかに記載のフローティング型コネクタ。
【発明の詳細な説明】
【技術分野】
【０００１】
本発明は、基板に対して固定された固定側ハウジングと相手方コネクタと嵌合する可動側ハウジングとを有し、可動側ハウジングが固定側ハウジングに対して移動自在な構成とすることにより、相手方コネクタとの嵌合結合時にコネクタが装着された基板同士に位置ずれがあった場合でも、これを吸収してコネクタ同士を確実に結合させることができるように構成されたフローティング型コネクタに関する。
【背景技術】
【０００２】
このようなフローティング型コネクタと称されるコネクタは、例えば基板に固定された固定側ハウジングと相手方コネクタと嵌合する嵌合部を有した可動側ハウジングとを有し、コンタクトが固定側ハウジングと可動側ハウジングとの双方に跨って保持された構成となっている。可動側ハウジングは、コンタクトの弾性力により固定側ハウジングに対して移動自在であるため、例えば基板に固定された相手方コネクタとの嵌合結合時に、フローティング型コネクタが装着された基板と相手方コネクタが装着された基板との間に位置ずれがあった場合でもこれが吸収され、相手方コネクタと容易に結合させることができるようになっている。
【０００３】
このフローティング型コネクタの一例が特許文献１に開示されている。特許文献１に開示されたフローティング型コネクタは、可動側ハウジングがコンタクトを介して固定側ハウジングに取り付けられ、コンタクトに形成された可動部が弾性変形することにより、固定側ハウジングに対して可動側ハウジングが、相手方コネクタとの嵌合方向およびこの嵌合方向に対して直交する面内で移動自在となっている。
【先行技術文献】
【特許文献】
【０００４】
【特許文献１】特許第４５４６４６９号公報
【発明の概要】
【発明が解決しようとする課題】
【０００５】
ところで、フローティング型コネクタと相手方コネクタとが嵌合された状態において、相手方コネクタを嵌合方向に引くことでフローティング型コネクタ（可動側ハウジング）から相手方コネクタが抜去される。ここで、特許文献１のように、固定側ハウジングに対して可動側ハウジングが、相手方コネクタとの嵌合方向およびこの嵌合方向に対して直交する面内で移動自在に構成されている場合、基板同士の位置ずれを吸収可能ではあるが、一方で、可動側ハウジングから相手方コネクタが抜去される際に相手方コネクタと一緒に可動側ハウジングおよびコンタクトが嵌合方向に大きく引っ張られ、その結果コンタクトが塑性変形する虞があるという課題があった。
【０００６】
本発明は上記課題に鑑みてなされたものであり、コンタクトが嵌合方向に塑性変形することを防止可能なフローティング型コネクタを提供することを目的とする。
【課題を解決するための手段】
【０００７】
上記目的を達成するため、本発明に係るフローティング型コネクタ（例えば、実施形態におけるレセプタクルコネクタ１）は、相手方コネクタ（例えば、実施形態におけるプラグコネクタ６０）と嵌合する嵌合部（例えば、実施形態における本体部２１）が形成されるとともに電気絶縁性を有する可動側ハウジングと、前記可動側ハウジングを移動可能に受容するとともに電気絶縁性を有する固定側ハウジングと、前記固定側ハウジングと前記可動側ハウジングとに跨って所定の配列方向に並んで取り付けられる複数のコンタクト（例えば、実施形態におけるレセプタクル側コンタクト３０）とを有して構成され、前記コンタクトはそれぞれ、一端側において前記固定側ハウジングに固定されて前記固定側ハウジングの外部に露出するリード部と、他端側において前記可動側ハウジングに固定されるとともに前記嵌合部に位置して前記相手方コネクタのコンタクトと当接可能な接触部と、前記リード部と前記接触部とを繋ぐとともに弾性変形可能に形成された中間部（例えば、実施形態における第１可撓部３３、第２可撓部３４、第３可撓部３５および折曲部３６）とから構成され、前記コンタクトが前記固定側ハウジングと前記可動側ハウジングとに跨って取り付けられた状態で前記中間部が弾性変形することにより、前記固定側ハウジングに対して前記可動側ハウジングが移動可能であり、前記可動側ハウジングは、前記固定側ハウジングおよび前記可動側ハウジングに備えられたハウジング保持手段により前記固定側ハウジングに保持されて受容されており、前記ハウジング保持手段は、前記可動側ハウジングにおいて、前記相手方コネクタとの嵌合方向において前記嵌合部が形成された部分とは反対側である一方側に、前記所定の配列方向における前記嵌合部の幅に対応した幅で前記所定の配列方向に延びて形成された可動側一方移動規制部と、前記可動側ハウジングにおける複数の前記接触部が固定された部分から、前記嵌合方向に対して直交する面に沿うとともに前記固定側ハウジングに向けて突出形成されて前記所定の配列方向に延びる可動側他方移動規制部と、前記所定の配列方向における前記可動側一方移動規制部の幅に対応した幅を有して前記固定側ハウジングに形成されて、前記可動側一方移動規制部に対し前記嵌合方向における前記一方側に位置して対向する固定側一方移動規制部と、前記所定の配列方向における前記可動側他方移動規制部の幅に対応した幅を有して前記固定側ハウジングに形成されて、前記可動側他方移動規制部に対し前記嵌合方向における他方側に位置して対向する固定側他方移動規制部とを備えて構成され、前記ハウジング保持手段は、前記可動側ハウジングが前記面に沿って移動することを許容しつつ、前記可動側一方移動規制部が前記固定側一方移動規制部に前記嵌合方向に当接することにより前記可動側ハウジングが前記嵌合方向における一方側に所定移動量を越えて移動することを規制し、前記可動側他方移動規制部が前記固定側他方移動規制部に前記嵌合方向に当接することにより前記可動側ハウジングが前記嵌合方向における他方側に前記所定移動量を越えて移動することを規制するように構成されたことを特徴とする。
【０００８】
上述のフローティング型コネクタにおいて、前記ハウジング保持手段は、前記固定側ハウジングおよび前記可動側ハウジングのうち一方のハウジングにおける前記所定の配列方向の端部に、前記面に沿って形成された移動範囲規定突出部と、前記固定側ハウジングおよび前記可動側ハウジングのうち他方のハウジングにおける前記所定の配列方向の端部に、外方に開口するとともに前記面に沿って形成され、前記移動範囲規定突出部を受容して内部に位置させる移動範囲規定受容部とを備え、前記移動範囲規定受容部は、前記面に沿う方向に所定の間隙を有して前記移動範囲規定突出部を受容することで前記移動範囲規定突出部の前記面に沿う方向への移動を許容するとともに、前記移動範囲規定突出部を前記嵌合方向に挟持して受容することで前記他方のハウジングに対して前記移動範囲規定突出部が前記嵌合方向へ前記所定移動量を越えて移動することを規制するように構成されたことが好ましい。
【０００９】
また、前記ハウジング保持手段は、前記一方のハウジングに対して前記面に沿う方向に突出して形成された一方側係合部（例えば、実施形態における係合突起部２１ｆ、係合突起部２３ａ、抜け止め係止部２４ａおよび抜け止め係止部２５ａ）と、前記他方のハウジングに対して前記面に沿う方向に突出して形成されて、前記一方側係合部と係合することで前記移動範囲規定突出部が前記移動範囲規定受容部内から抜け出ることを防止する他方側係合部（例えば、実施形態における係合突起部１１ｃ、係合突起部１１ｄ、抜け止め係止部１２ｅおよび抜け止め係止部１２ｆ）とを備えることが好ましい。
【００１０】
上述のフローティング型コネクタにおいて、前記所定移動量は、前記中間部の前記嵌合方向に弾性変形可能な変形量よりも小さく設定されていることが好ましい。
【発明の効果】
【００１１】
本発明に係るフローティング型コネクタは、ハウジング保持手段により、可動側ハウジングが相手方コネクタとの嵌合方向に対して直交する面に沿って移動することを許容されつつ、可動側ハウジングが嵌合方向に所定移動量を越えて移動することを規制されて構成される。この構成により、上記所定移動量を例えばコンタクトが嵌合方向に弾性変形な変形量よりも小さく設定することで、コネクタが装着された基板同士の位置ずれを吸収してコネクタを容易に嵌合できるようにするとともに、コンタクトが嵌合方向に塑性変形することを防止可能となる。
【００１２】
上述のフローティング型コネクタにおいて、ハウジング保持手段は、一方のハウジングに嵌合方向に対して直交する面に沿って形成された移動範囲規定突出部と、他方のハウジングに外方に開口するとともに上記面に沿って形成され、移動範囲規定突出部を受容して内部に位置させる移動範囲規定受容部とを備えた構成が好ましい。このような構成とすることで、移動範囲規定突出部内に移動範囲規定突出部を挿入して位置させるという簡単な構成でありながら、コネクタが装着された基板同士の位置ずれを吸収しつつコンタクトが嵌合方向に塑性変形することを防止できる。
【００１３】
また、ハウジング保持手段は、嵌合方向に対して直交する面に沿う方向に突出して形成された一方側係合部と、上記面に沿う方向に突出して形成されて、一方側係合部と係合することで移動範囲規定突出部が移動範囲規定受容部内から抜け出ることを防止する他方側係合部とを備えた構成が好ましい。この構成の場合には、一方側係合部と他方側係合部とによって、移動範囲規定受容部内から移動範囲規定突出部が抜け出ることが防止された仮保持状態とすることができるので、例えばコンタクトが取り付けられる前の段階における取り扱いが容易となる。
【００１４】
上述のフローティング型コネクタにおいて、所定移動量が、中間部の嵌合方向に弾性変形可能な変形量よりも小さく設定された構成が好ましい。このように所定移動量を設定することで、コネクタが装着された基板同士の位置ずれを吸収しつつコンタクトが嵌合方向に塑性変形することを確実に防止可能となる。
【図面の簡単な説明】
【００１５】
【図１】（ａ）および（ｂ）は、本発明を適用した一例としてのレセプタクルコネクタの斜視図である。
【図２】図１（ｂ）中に示すＩＩ−ＩＩ部分の断面図である。
【図３】（ａ）および（ｂ）は、上記レセプタクルコネクタを構成する固定側ハウジングの斜視図である。
【図４】（ａ）および（ｂ）は、上記レセプタクルコネクタを構成する可動側ハウジングの斜視図である。
【図５】上記レセプタクルコネクタを構成するレセプタクル側コンタクトの斜視図である。
【図６】上記レセプタクルコネクタを構成する固定金具の斜視図である。
【図７】上記レセプタクルコネクタの組立構成を示す斜視図である。
【図８】図１（ｂ）中に示すＸＩＩＩ−ＸＩＩＩ部分の断面図である。
【図９】図１（ｂ）中に示すＩＸ−ＩＸ部分の断面図である。
【図１０】図１（ｂ）中に示すＸ−Ｘ部分の断面図である。
【図１１】（ａ）および（ｂ）は、上記レセプタクルコネクタと嵌合するプラグコネクタの斜視図である。
【図１２】レセプタクルコネクタとプラグコネクタとが嵌合された状態における図１（ｂ）に示すＸＩＩ−ＸＩＩ部分の断面図である。
【図１３】（ａ）は本実施形態に係るレセプタクルコネクタとプラグコネクタとを模式的に示した側面図で、（ｂ）および（ｃ）は別の実施形態に係るレセプタクルコネクタとプラグコネクタとを模式的に示した側面図である。
【図１４】（ａ）〜（ｃ）は別の実施形態に係るレセプタクルコネクタとプラグコネクタとを模式的に示した側面図である。
【発明を実施するための形態】
【００１６】
以下、図面を参照して本発明の実施形態について説明する。まず、レセプタクルコネクタ１の部品構成について、図１〜図６を参照しながら説明する。なお、本実施形態では説明の便宜上、各図中に付記する矢印方向で前後、左右および上下方向を定義して説明を行っている。
【００１７】
レセプタクルコネクタ１は、図１および図２に示すように、下面側においてレセプタクル側基板９（図１２参照）に対して固定される固定側ハウジング１０と、この固定側ハウジング１０に移動可能に取り付けられた可動側ハウジング２０と、これら固定側ハウジング１０および可動側ハウジング２０の双方に跨って保持された複数のレセプタクル側コンタクト３０と、固定側ハウジング１０をレセプタクル側基板９に固定するための固定金具４０とを有して構成されている。
【００１８】
固定側ハウジング１０は、図３に示すように、左右に延びる略矩形形状を有しており、電気絶縁性を有する樹脂等を用いて成形される。固定側ハウジング１０は、断面視略Ｌ字状に形成されて左右に延びる本体部１１と、本体部１１の左右両端部に立設された一対の端側支持部１２と、本体部１１の中央部分よりもやや左側に立設された中央支持部１３と、端側支持部１２および中央支持部１３の上端部を繋いで柱状に左右に延びて形成された連結支持部１４とから構成される。
【００１９】
本体部１１には、端側支持部１２と中央支持部１３とによって区画形成されて、上方および後方に向けて開口された２つのコンタクト受容空間１１ａ，１１ｂが形成されている。本体部１１の前部を形成する部分には、後方に突出して形成されてコンタクト受容空間１１ａ，１１ｂ内に露出する係合突起部１１ｃ，１１ｄが形成されている。コンタクト受容空間１１ａ，１１ｂの底部には、前後に延びて形成されるとともに左右に所定のピッチで並んだ複数のコンタクト収容部１１ｅが形成されている。このコンタクト収容部１１ｅの後端にはそれぞれ、レセプタクル側コンタクト３０が圧入されるコンタクト圧入溝１１ｆが、前後に延びて形成されている。また、本体部１１の下面左右端部には、下方に突出する位置決め突起１９が形成されている（図８および図９参照）。
【００２０】
端側支持部１２は、下部において前後に延びて形成された土台部１２ａと、この土台部１２ａの後端部から上方に延びて形成された支持柱部１２ｂとから構成される。土台部１２ａの下面には、前方に開口して前後に延びる金具取付溝１２ｃが形成されている。土台部１２ａの中央部分には、上方に開口して上下に延びた移動範囲規定受容部１２ｄが形成されており、移動範囲規定受容部１２ｄの上側前部には左右に延びた柱状の抜け止め係止部１２ｆが形成され、移動範囲規定受容部１２ｄの下側後部には当接支持部１２ｇが形成されている。支持柱部１２ｂの前面上端部には、前方に突出した抜け止め係止部１２ｅが形成されている。中央支持部１３は、下部において前後に延びて形成された土台部１３ａと、この土台部１２ａの後端部から上方に延びて形成された支持柱部１３ｂとから構成される。
【００２１】
可動側ハウジング２０は、図４に示すように、左右に延びる略矩形形状を有しており、電気絶縁性を有した樹脂等を用いて成形される。可動側ハウジング２０は、略矩形に形成された本体部２１と、本体部２１の左右両端部において前後に延びて形成されたガイド突起２２と、本体部２１の左右両端下面から下方に突出して形成された一対の移動範囲規定突出部２３と、本体部２１の下面から下方に板状に突出して形成された板状突出部２４と、板状突出部２４の右側において本体部２１の下面から下方に板状に突出して形成された板状突出部２５とから構成される。
【００２２】
本体部２１は、左右に延びる略直方体に形成されており、その内部には前後に貫通して形成されたコンタクト受容空間２１ａ，２１ｂが、前後に延びる仕切り壁２１ｃによって
仕切られて形成されている。コンタクト受容空間２１ａ，２１ｂの前端間口には、テーパ部２６が形成されている。コンタクト受容空間２１ａ，２１ｂの後部には、レセプタクル側コンタクト３０の各々を受容するための空間を形成する仕切り壁２１ｄが前後に延びて形成されており、この仕切り壁２１ｄの下部にはコンタクト圧入溝２１ｅが前後に延びて形成されている。本体部２１の後面左右両端部には、後方に突出した係合突起部２１ｆが形成されており、この係合突起部２１ｆは固定側ハウジング１０の抜け止め係止部１２ｅと係合可能に形成されている。
【００２３】
移動範囲規定突出部２３は、本体部２１の下面から下方に略直方体に突出して形成されており、その前面には前方に突出した係合突起部２３ａが形成されている。この係合突起部２３ａは、固定側ハウジング１０の抜け止め係止部１２ｆと係合可能に形成されている。板状突出部２４の前面側には、前方に突出した抜け止め係止部２４ａが形成されており、この抜け止め係止部２４ａは固定側ハウジング１０に形成された係合突起部１１ｃと係合可能に形成されている。同様に板状突出部２５の前面側には、前方に突出した抜け止め係止部２５ａが形成されており、この抜け止め係止部２５ａは固定側ハウジング１０に形成された係合突起部１１ｄと係合可能に形成されている。
【００２４】
レセプタクル側コンタクト３０は、例えば板金（弾性体からなる導電性材料）を長板状（針金状）に打ち抜き加工した後、図５に示すように所定の形状に曲げ成形されて構成される。このレセプタクル側コンタクト３０は、図５に示すように、略くの字状に折曲されて上下に弾性変形可能に形成された接触部３１と、接触部３１から後方に延びて形成された可動側被保持部３２と、可動側被保持部３２の後端部を下方に折曲して前後に延びて形成された第１可撓部３３と、第１可撓部３３の後端部を下方にほぼ直角に折曲して形成された第２可撓部３４と、第２可撓部３４の下端部を前方にほぼ直角に折曲して形成された第３可撓部３５と、第３可撓部３５の前端部を下方にほぼ直角に折曲して形成された折曲部３６と、折曲部３６の下端部を後方にほぼ直角に折曲して形成された固定側被保持部３７と、固定側被保持部３７の後端部を下方に折曲して前後に延びて形成されたリード部３８とを有して構成される。
【００２５】
可動側被保持部３２には、部分的に左右幅が拡がった可動側圧入係止部３２ａが形成され、第３可撓部３５には、部分的に左右幅が拡がった幅拡大部３５ａが形成され、固定側被保持部３７には、部分的に左右幅が拡がった固定側圧入係止部３７ａが形成されている。このように、第３可撓部３５に幅拡大部３５ａを形成して部分的にレセプタクル側コンタクト３０の断面積を大きくすることで、より大きな電力等を伝送できるように構成されている。
【００２６】
固定金具４０は、例えば板金を打ち抜きおよび曲げ加工することにより、図６に示すような所定の形状に成形される。固定金具４０は、前後に延びて形成された平板状の基部４１と、基部４１の中央から下方に折曲して形成された折曲部４２と、折曲部４２の下端部がほぼ直角に左方に折曲されて形成された結合部４３とを備えて構成される。基部４１の前端部には、左右に突出して形成された圧入係止部４１ａが形成されている。なお、図６には、固定側ハウジング１０の左端部に形成された金具取付溝１２ｃに取り付けられる固定金具４０を図示しており、固定側ハウジング１０の右端部には、固定金具４０に対して左右対称に形成された固定金具４０が取り付けられる。
【００２７】
以上ここまでは、レセプタクルコネクタ１の部品構成について説明した。以下においては、このレセプタクルコネクタ１の組立構成について、図７〜１０を追加参照しながら説明する。
【００２８】
まず、図７に示すように、固定側ハウジング１０の移動範囲規定受容部１２ｄに対して移動範囲規定突出部２３を上方から挿入して、固定側ハウジング１０に対して可動側ハウジング２０が取り付けられる。なお、このときの取付状態については、後ほど詳しく説明する。
【００２９】
次に、図示しない組立治具を用いて、固定側ハウジング１０に対して可動側ハウジング２０を所定位置に保持しておき、図７に示すように固定側ハウジング１０および可動側ハウジング２０に対して後方からレセプタクル側コンタクト３０を挿入する。そうすることで、固定側ハウジング１０のコンタクト圧入溝１１ｆに対してレセプタクル側コンタクト３０の固定側圧入係止部３７ａ、可動側ハウジング２０のコンタクト圧入溝２１ｅに対してレセプタクル側コンタクト３０の可動側圧入係止部３２ａがそれぞれ前後に圧入されて固定される。
【００３０】
このようにして、レセプタクル側コンタクト３０が固定側ハウジング１０と可動側ハウジング２０とに跨って固定されると、図８および図９に示すように可動側ハウジング２０のコンタクト受容空間２１ａ，２１ｂ内に接触部３１が位置するとともに、固定側ハウジング１０の下面にリード部３８が露出して位置する。
【００３１】
この状態で、レセプタクル側コンタクト３０のうちの可動側圧入係止部３２ａと固定側圧入係止部３７ａとの間に形成された部分（第１可撓部３３、第２可撓部３４、第３可撓部３５および折曲部３６）が弾性変形することで、後述するように固定側ハウジング１０に可動側ハウジング２０を取り付けることで設定される移動方向（左右および上下）に、可動側ハウジング２０が移動可能となっている。なお、コンタクト受容空間２１ｂ内に位置するレセプタクル側コンタクト３０のうちの一部（本実施形態では２本）は、他のレセプタクル側コンタクト３０に対して前方にずれて固定されており、このようにすることで、後述するプラグコネクタ６０のプラグ側コンタクト８０との接触タイミングをずらした活線挿抜に対応した構造となっている。
【００３２】
次に、固定側ハウジング１０の金具取付溝１２ｃに対して、前方から固定金具４０を挿入して固定する（図１０参照）。そして、上述のようにして組み立てられたレセプタクルコネクタ１をレセプタクル側基板９に表面実装する際には、レセプタクル側基板９に形成された位置決め孔９ａ（図１２参照）に固定側ハウジング１０に形成された位置決め突起１９を挿入することで、位置決めされて載置される。レセプタクル側基板９上にレセプタクルコネクタ１を載置させた状態で、固定金具４０の結合部４３をレセプタクル側基板９上のマウントパターン（図示せず）に半田付けするとともに、レセプタクル側コンタクト３０のリード部３８をレセプタクル側基板９上の配線パターン（図示せず）に半田付けすることで表面実装される。このように、固定金具４０の結合部４３をマウントパターンに半田付けすることで、レセプタクル側基板９にレセプタクルコネクタ１が強固に固定される。
【００３３】
以上ここまでは、レセプタクルコネクタ１の組立構成について説明した。以下においては、このように構成されるレセプタクルコネクタ１と嵌合接続されるプラグコネクタ６０について、図１１を参照して簡単に説明する。
【００３４】
プラグコネクタ６０は、図１１に示すように、プラグ側基板９９（図１２参照）に固定されるプラグハウジング７０と、プラグハウジング７０に保持された複数のプラグ側コンタクト８０とを有して構成されている。
【００３５】
プラグハウジング７０は、電気絶縁性を有する樹脂等を用いて成形されており、左右に延びて形成されたハウジング基部７１と、このハウジング基部７１の左右両端部において上方に突出して形成された位置決め突起７９とから構成される。ハウジング基部７１の後部には、前後に延びて形成された嵌合凹部７２が形成されており、この嵌合凹部７２内には、板状となって前後に延びた嵌合突起７３ａ，７３ｂが立設されている。嵌合突起７３ａ，７３ｂの後端部には、テーパ部７４が形成されている。嵌合凹部７２の左右両端部には、可動側ハウジング２０に形成されたガイド突起２２と嵌合可能な一対の受容凹部７２ａが形成されている。
【００３６】
プラグ側コンタクト８０は、例えば板金（弾性体からなる導電性材料）を長板状（針金状）に打ち抜き加工した後、所定の形状に曲げ成形されて構成される。プラグ側コンタクト８０は、図１１に示すように、平板状に形成されて嵌合突起７３ａ，７３ｂの下面に露出する接触部８１と、接触部８１に繋がってプラグハウジング７０に圧入される被保持部８２と、被保持部８２から前方に延びて形成されたリード部８３とから構成される。
【００３７】
プラグコネクタ６０をプラグ側基板９９に表面実装する際には、プラグ側基板９９に形成された位置決め孔９９ａ（図１２参照）に位置決め突起７９を挿入させて載置することで、プラグコネクタ６０が位置決めされて載置される。そして、プラグ側コンタクト８０のリード部８３をプラグ側基板９９上の配線パターン（図示せず）に半田付けすることで表面実装される。
【００３８】
以上ここまでは、プラグコネクタ６０について説明した。以下においては、上述のようにして組み立てられたレセプタクルコネクタ１とプラグコネクタ６０とを嵌合させて、レセプタクル側基板９とプラグ側基板９９とを電気的に接続する手順について図１２を参照しながら説明する。
【００３９】
基板同士を電気的に接続する場合には、可動側ハウジング２０のコンタクト受容空間２１ａ，２１ｂに対して、プラグハウジング７０の嵌合突起７３ａ，７３ｂを前方から挿入して嵌合させる。そうすることで、レセプタクル側コンタクト３０の接触部３１がプラグ側コンタクト８０の接触部８１と接触し上下方向に弾性変形させられるので、レセプタクル側コンタクト３０とプラグ側コンタクト８０とは適切な接触力をもって接触し、レセプタクルコネクタ１とプラグコネクタ６０（レセプタクル側基板９とプラグ側基板９９）とが電気的に接続される。
【００４０】
ここで、レセプタクル側基板９およびプラグ側基板９９が所定位置に位置している（左右または上下にずれていない）場合には、コンタクト受容空間２１ａ，２１ｂに対して嵌合突起７３ａ，７３ｂがそのまま前方から挿入されて嵌合される。一方で、レセプタクル側基板９に対してプラグ側基板９９が左右または上下にずれている場合には、コンタクト受容空間２１ａ，２１ｂに対して嵌合突起７３ａ，７３ｂがそのまま嵌合せずに、コンタクト受容空間２１ａ，２１ｂの間口に形成されたテーパ部２６と嵌合突起７３ａ，７３ｂの後端部に形成されたテーパ部７４とが当接する。
【００４１】
このとき、レセプタクル側コンタクト３０により、可動側ハウジング２０は固定側ハウジング１０に対して左右および上下に移動自在であるため、両テーパ部２６，７４の当接により生じた可動側ハウジング２０を左右または上下に移動させる力によって可動側ハウジング２０はその方向へ移動され、その上でコンタクト受容空間２１ａ，２１ｂに対して嵌合突起７３ａ，７３ｂが嵌合される。このため、レセプタクル側基板９に対してプラグ側基板９９が左右または上下に位置ずれている場合であっても、基板同士を容易且つ確実に電気接続させることが可能である。
【００４２】
一方、上述のようにしてレセプタクルコネクタ１とプラグコネクタ６０とが嵌合された状態で、プラグコネクタ６０（プラグコネクタ６０が表面実装されたプラグ側基板９９）を前方に引くことにより、レセプタクルコネクタ１からプラグコネクタ６０が抜去される。ところで、従来構成では、この抜去時にプラグコネクタと一緒に可動側ハウジングおよびレセプタクル側コンタクトが前方に大きく引っ張られ、その結果レセプタクル側コンタクトが塑性変形する虞があったが、この虞に対し本発明を適用したレセプタクルコネクタ１においては、このようにして起こる塑性変形を防止可能な構成を特徴構成として有している。それでは、レセプタクルコネクタ１の特徴構成について以下に説明する。
【００４３】
レセプタクルコネクタ１においては、固定側ハウジング１０に形成された移動範囲規定受容部１２ｄの左右幅が、可動側ハウジング２０に形成された移動範囲規定突出部２３の左右幅よりも若干大きく形成されているため、移動範囲規定受容部１２ｄに移動範囲規定突出部２３が挿入されると、その左右方向の隙間分だけ固定側ハウジング１０に対して移動範囲規定突出部２３（可動側ハウジング２０）が左右に移動可能に保持される。上記の左右方向の隙間は、レセプタクル側コンタクト３０が左右方向に弾性変形可能な変形量よりも小さく設定されている。
【００４４】
また、移動範囲規定受容部１２ｄに移動範囲規定突出部２３が挿入された状態においては、図１０に示すように、抜け止め係止部１２ｆと移動範囲規定突出部２３、当接支持部１２ｇと移動範囲規定突出部２３、抜け止め係止部１２ｅと本体部２１とがそれぞれ当接し、移動範囲規定受容部１２ｄによって移動範囲規定突出部２３が前後に挟持されるように構成されている。そのため、固定側ハウジング１０に対して移動範囲規定突出部２３（可動側ハウジング２０）が、前後方向への移動が規制されて保持される。
【００４５】
さらに、移動範囲規定受容部１２ｄに移動範囲規定突出部２３が挿入された状態においては、図９に示すように係合突起部１１ｃと抜け止め係止部２４ａ、係合突起部１１ｄと抜け止め係止部２５ａ、図１０に示すように抜け止め係止部１２ｆと係合突起部２３ａ、抜け止め係止部１２ｅと係合突起部２１ｆとがそれぞれ上下に対向して位置し、これらが互いに係合することで移動範囲規定受容部１２ｄ内から移動範囲規定突出部２３が上方に抜け出ることが防止（固定側ハウジング１０に対する可動側ハウジング２０の上方への移動が規制）されるようになっている。一方、土台部１２ａおよび土台部１３ａの上面と本体部２１の下面とが当接することで、固定側ハウジング１０に対する可動側ハウジング２０の下方への移動が規制されるようになっている。このように、抜け止め係止部と係合突起部とを係合させるとともに面同士を当接させることで、固定側ハウジング１０に対して可動側ハウジング２０が上下方向に移動可能な距離は、レセプタクル側コンタクト３０が上下方向に弾性変形可能な変形量よりも小さく設定されている。
【００４６】
このように構成されたレセプタクルコネクタ１は、移動範囲規定受容部１２ｄ内に移動範囲規定突出部２３を挿入して位置させるという簡易な構成でありながら、基板同士の位置ずれを吸収してレセプタクルコネクタ１とプラグコネクタ６０とを容易に嵌合させることができるとともに、可動側ハウジング２０の前後方向への移動を規制することで、レセプタクルコネクタ１とプラグコネクタ６０との嵌合時および抜去時にレセプタクル側コンタクト３０が大きく変形されて塑性変形することを防止可能な構成となっている。
【００４７】
以上、レセプタクルコネクタ１の特徴構成について説明した。このレセプタクルコネクタ１は、上述した特徴構成以外にも以下のような特徴を有している。
【００４８】
上述したようにして、移動範囲規定受容部１２ｄに移動範囲規定突出部２３が挿入されて固定側ハウジング１０と可動側ハウジング２０とが組み立てられると、図７に示すように、固定側ハウジング１０におけるコンタクト受容空間１１ａ，１１ｂの向きと可動側ハウジング２０におけるコンタクト受容空間２１ａ，２１ｂの向きとが一致するので、固定側ハウジング１０および可動側ハウジング２０に対して後方から同時に（１工程で）レセプタクル側コンタクト３０を挿入可能である。よって、レセプタクルコネクタ１の組立工数を減らして組立作業を簡素化できるとともに、組立設備を簡素化することも可能となる。また、組立作業の簡素化に伴って、レセプタクルコネクタ１の組立工程を自動化することもできる。
【００４９】
レセプタクルコネクタ１に対してプラグコネクタ６０が嵌合される際、レセプタクルコネクタ１にはリード部３８を中心とする回転モーメントが作用することとなるが、可動側ハウジング２０の移動範囲規定突出部２３を固定側ハウジング１０の当接支持部１２ｇに当接させることで回転モーメントの半径を小さくして、リード部３８に過大な力が作用することを防止している。また、可動側ハウジング２０本体部２１と固定側ハウジング１０の連結支持部１４とを当接させることで、プラグコネクタ６０が嵌合される際に可動側ハウジング２０に対して後方に向けて作用する力を、固定側ハウジング１０における広い面で受けることが可能となり、レセプタクルコネクタ１の強度向上が図られている。一方、図８に示すように、固定側ハウジング１０の本体部１１と可動側ハウジング２０の板状突出部２４，２５とを当接させることで、レセプタクルコネクタ１に対してプラグコネクタ６０が抜去される際にリード部３８に作用する回転モーメントの半径を小さくして、リード部３８に過大な力が作用することを防止している。
【００５０】
一般的に、基板に対して平行に相手方コネクタを嵌合させるライトアングルタイプのコネクタでは、相手方コネクタと嵌合されるコネクタの基板からの高さが高くなるに従って嵌合時に大きな回転モーメントを受けやすいが、レセプタクルコネクタ１においては上記のような構成が採用されているため、レセプタクル側基板９からのハイトを確保しつつ挿抜時に作用する回転モーメントに抗してリード部３８の半田結合を維持することができる。また、プラグコネクタ６０をこじるようにしてレセプタクルコネクタ１に挿抜されることがあるが、このようなプラグコネクタ６０のこじりに対しても、リード部３８の半田結合を確実に維持することが可能である。
【００５１】
レセプタクルコネクタ１においては、移動範囲規定受容部１２ｄの左右幅と移動範囲規定突出部２３の左右幅との差（図７参照）、および、例えば係合突起部１１ｃと抜け止め係止部２４ａとの上下方向における形成位置（図９参照）を変更するだけで、固定側ハウジング１０に対する可動側ハウジング２０の左右および上下への移動範囲を簡単に変更可能である。また、このようにして、ハウジング同士が嵌合されることでこれらが分離しないように仮保持されるとともに移動範囲が規定されるので、例えば固定側ハウジング１０とレセプタクル側基板９とを固定するための固定金具４０を、可動側ハウジング２０に近接させて固定側ハウジング１０に取り付けて、この固定金具４０により可動側ハウジング２０の移動範囲を規制する必要がない。そのため、固定金具４０を複雑な形状とする必要がなく、固定側ハウジング１０をレセプタクル側基板９に固定するという本来の機能を果たすべくシンプルな形状とすることができる。さらに、ハウジング同士を嵌合させることで、レセプタクル側コンタクト３０を挿入する前の段階において分離しないように仮保持されるので、取り扱いがしやすくなる。
【００５２】
上述の実施形態においては、図１３（ａ）に示すように、レセプタクル側基板９に対して直交する面に沿って可動側ハウジング２０を移動可能に保持して構成されたレセプタクルコネクタ１に本発明を適用した例について説明したが、本発明はこの構成のコネクタに限定して適用されるものではない。例えば、図１３（ｂ）、図１３（ｃ）および図１４（ａ）〜（ｃ）に示すような構成のコネクタにも適用可能である。図１３（ｂ）は、いわゆるスタックタイプと称されるもので、固定側ハウジング１１０に対して可動側ハウジング１２０が、レセプタクル側基板１０９に対して平行に移動可能に保持されたレセプタクルコネクタ１０１に本発明を適用した例である。この構成においては、可動側ハウジング１２０と嵌合するプラグコネクタ１７０は、プラグ側基板１９９にこれと平行な向きで実装されており、可動側ハウジング１２０は、プラグコネクタ１７０との嵌合方向への移動が規制されている。
【００５３】
図１３（ｃ）は、固定側ハウジング２１０に対して可動側ハウジング２２０が、レセプタクル側基板２０９に対して平行に移動可能に保持されたレセプタクルコネクタ２０１に本発明を適用した例である。この構成においては、可動側ハウジング２２０と嵌合するプラグコネクタ２７０は、プラグ側基板２９９にこれと直行する向きで実装されており、可動側ハウジング２２０は、プラグコネクタ２７０との嵌合方向への移動が規制されている。
【００５４】
図１４（ａ）は、プラグ側基板３９９に対してこれと直交する向きで実装され、可動側ハウジング３７０がプラグ側基板３９９に対して直交する面に沿って移動可能となって固定側ハウジング３９０に保持されたプラグコネクタ３６０に、本発明を適用した例である。この構成においては、可動側ハウジング３７０と嵌合するレセプタクルコネクタ３１０は、レセプタクル側基板３０９にこれと直行する向きで実装されており、可動側ハウジング３７０は、レセプタクルコネクタ３１０との嵌合方向への移動が規制されている。
【００５５】
図１４（ｂ）は、プラグ側基板４９９に対してこれと平行な向きで実装され、可動側ハウジング４７０がプラグ側基板４９９に対して平行に移動可能となって固定側ハウジング４９０に保持されたプラグコネクタ４６０に、本発明を適用した例である。この構成においては、可動側ハウジング４７０と嵌合するレセプタクルコネクタ４１０は、レセプタクル側基板４０９にこれと平行に実装されており、可動側ハウジング４７０は、レセプタクルコネクタ４１０との嵌合方向への移動が規制されている。
【００５６】
図１４（ｃ）は、プラグ側基板５９９に対してこれと直交する向きで実装され、可動側ハウジング５７０がプラグ側基板５９９に対して直交する面に沿って移動可能となって固定側ハウジング５９０に保持されたプラグコネクタ５６０に、本発明を適用した例である。この構成においては、可動側ハウジング５７０と嵌合するレセプタクルコネクタ５１０は、レセプタクル側基板５０９にこれと平行に実装されており、可動側ハウジング５７０は、レセプタクルコネクタ５１０との嵌合方向への移動が規制されている。
【００５７】
また、上述の実施形態においては、可動側ハウジング２０に移動範囲規定突出部２３を形成し、固定側ハウジング１０に移動範囲規定受容部１２ｄを形成した構成例について説明したが、本発明はこの構成例に限定されるものではない。この構成例とは反対に、可動側ハウジング２０に移動範囲規定受容部１２ｄを形成し、固定側ハウジング１０に移動範囲規定突出部２３を形成した構成でも良い。
【００５８】
上述の実施形態では、移動範囲規定受容部１２ｄに移動範囲規定突出部２３を挿入することで、移動範囲規定突出部２３を前後に挟持して固定側ハウジング１０に対して可動側ハウジング２０が前後に移動することを規制する構成例を説明したが、本発明はこの構成例に限定されるものではない。例えば、レセプタクル側コンタクト３０が前後に弾性変形可能な変形量を越えない範囲において、固定側ハウジング１０に対する可動側ハウジング２０の前後への移動を許容する構成でも良い。
【００５９】
なお、上述の実施形態においては、レセプタクル側基板９の位置決め孔９ａに対して固定側ハウジング１０の位置決め突起１９を挿入させて位置決めを行う構成を例示して説明したが、本発明はこの構成のレセプタクルコネクタ１に限定して適用されるものではない。例えば固定側ハウジングを吸着してレセプタクル側基板９上の所定位置に精度良く載置させることができれば、位置決め突起１５を形成することなく固定側ハウジングを構成することも可能であり、このような構成の固定側ハウジングを備えたレセプタクルコネクタにも本発明を適用可能である。
【符号の説明】
【００６０】
１  レセプタクルコネクタ（フローティング型コネクタ）
１０  固定側ハウジング
１１ｃ，１１ｄ  係合突起部（他方側係合部）
１２ｄ  移動範囲規定受容部
１２ｅ，１２ｆ  抜け止め係止部（他方側係合部）
２０  可動側ハウジング
２１  本体部（嵌合部）
２１ｆ  係合突起部（一方側係合部）
２３  移動範囲規定突出部
２３ａ  係合突起部（一方側係合部）
２４ａ，２５ａ  抜け止め係止部（一方側係合部）
３０  レセプタクル側コンタクト（コンタクト）
３１  接触部
３３  第１可撓部（中間部）
３４  第２可撓部（中間部）
３５  第３可撓部（中間部）
３６  折曲部（中間部）
３８  リード部
６０  プラグコネクタ（相手方コネクタ）
【図１】
0005587807.tif 000002
【図２】
0005587807.tif 000003
【図３】
0005587807.tif 000004
【図４】
0005587807.tif 000005
【図５】
0005587807.tif 000006
【図６】
0005587807.tif 000007
【図７】
0005587807.tif 000008
【図８】
0005587807.tif 000009
【図９】
0005587807.tif 000010
【図１０】
0005587807.tif 000011
【図１１】
0005587807.tif 000012
【図１２】
0005587807.tif 000013
【図１３】
0005587807.tif 000014
【図１４】
0005587807.tif 000015